(57)【要約】【課題】正確な生体情報の収集が可能で、生体への影響の少ない生体情報収集プローブの製造方法及び生体情報収集プローブを提供する。【解決手段】  基板２０の一方の面に発光部２１と受光部２２を配置するステップと、第１の被覆材３０ａに第１の貫通孔３１の開口を発光部２１より小さく形成するステップと、第１の被覆材３０ａに第２の貫通孔３２の開口を受光部２２より小さく形成するステップと、第１の貫通孔３１及び第２の貫通孔３２に発光部２１及び受光部２２を挿入し、基板２０の一方の面を第１の被覆材３０ａにて覆うステップと、基板２０の反対側の面を第２の被覆材３０ｂにて覆うステップと、第１の被覆材３０ａと第２の被覆材３０ｂを基板２０に固定するステップからなることを特徴とする生体情報測定プローブ１の製造方法。【選択図】  図１
2019150257.tif 000002
【特許請求の範囲】
【請求項１】
組織に光を照射し、前記組織を透過した透過光を受光して生体情報を収集する生体情報収集装置に接続される生体情報測定プローブの製造方法であって、
柔軟性のある板状の基板の一方の面の先側に、発光部と受光部を所定の間隔で配置し、前記発光部及び前記受光部を前記基板に電気的に接続するステップと、
前記発光部及び前記受光部が配置された前記基板の一方の面を覆う柔軟性を有した光不透過性の第１の被覆材の前記発光部に対応する部分に、前記発光部を挿入するための第１の貫通孔を設けるステップであって、前記基板の一方の面の側から見た前記第１の貫通孔の開口を、前記基板の一方の面の側から見た前記発光部の大きさより小さく形成するステップと、
前記第１の被覆材の前記受光部に対応する部分に、前記受光部を挿入するための第２の貫通孔を設けるステップであって、前記基板の一方の面の側から見た前記第２の貫通孔の開口を、前記基板の一方の面の側から見た前記受光部の大きさより小さく形成するステップと、
前記第１の貫通孔及び前記第２の貫通孔にそれぞれ前記発光部及び前記受光部を挿入し、前記基板の一方の面の少なくとも一部を前記第１の被覆材にて覆うステップと、
前記基板の一方の面とは反対側の他方の面の少なくとも一部を第２の被覆材にて覆うステップと、
前記第１の被覆材と前記第２の被覆材を前記基板に固定するステップと、
からなることを特徴とする生体情報測定プローブの製造方法。
【請求項２】
前記固定するステップは、
前記第１の被覆材で前記基板を覆った際に前記基板から突出する第１の突出部と、前記第２の被覆材で前記基板を覆った際に前記基板から突出する第２の突出部を相互に接合するステップであることを特徴とする請求項１に記載の生体情報測定プローブの製造方法。
【請求項３】
前記固定するステップは、前記第１の被覆材と前記第２の被覆材を溶着することを特徴とする請求項２に記載の生体情報測定プローブの製造方法。
【請求項４】
組織に光を照射し、前記組織を透過した透過光を受光して生体情報を収集する生体情報収集装置に接続される生体情報測定プローブであって、
柔軟性のある板状の基板部と、
前記基板部の一方の面の先側に配置された発光部と、
前記発光部と隣接し所定の間隔で配置された受光部と、
前記基板部の先側とは反対の元側に設けられた前記生体情報収集装置に接続される接続部と、
前記基板の一方の面を覆う柔軟性を有した第１の被覆材と、
前記基板の他方の面を覆う第２の被覆材と、
を備え、
前記発光部は、前記第１の被覆材の前記発光部に対応する部分に設けられた第１の貫通孔の内側に配置されており、
前記受光部は、前記第１の被覆材の前記受光部に対応する部分に設けられた第２の貫通孔の内側に配置されており、
少なくとも前記発光部の前記受光部に向かう面、あるいは前記受光部の前記発光部に向かう面のいずれか一方が前記第１の被覆材と接触することを特徴とする、
生体情報測定プローブ。
【請求項５】
前記発光部の前記受光部に向かう面とは異なる他の面が、前記第１の貫通孔において前記第１の被覆材と接触していることを特徴とする請求項４に記載の生体情報測定プローブ。
【請求項６】
前記受光部の前記発光部に向かう面とは異なる他の面が前記第２の貫通孔において前記第１の被覆材と接触していることを特徴とする、
請求項４又は請求項５に記載の生体情報測定プローブ。
【請求項７】
前記第１の被覆材は前記基板よりも広く、前記基板を覆った際に前記基板から突出する第１の突出部を備え、
前記第２の被覆材は前記基板よりも広く、前記基板を覆った際に前記基板から突出する第２の突出部を備え、
前記第１の被覆材と前記第２の被覆材は、前記基板を挟み、前記第１の突出部及び前記第２の突出部において相互に接合されていることを特徴とする
請求項４から請求項６のいずれかに記載の生体情報測定プローブ。
【請求項８】
前記第１の被覆材と前記第２の被覆材は、前記基板の前記先側から前記元側までを覆うことを特徴とする
請求項４から請求項７のいずれかに記載の生体情報測定プローブ。
【請求項９】
前記第１の被覆材と前記第２の被覆材の前記元側の部分は、前記接続部と隣接するコネクタ部と一体となっている特徴とする請求項８に記載の生体情報測定プローブ。
【請求項１０】
前記基板の一方の面、あるいは前記基板の他方の面のいずれか一方の面の側に前記発光部及び前記受光部と前記接続部を電気的に接続する電気回路部が設けられていることを特徴とする請求項４から請求項９のいずれかに記載の生体情報測定プローブ。
【請求項１１】
前記受光部は、前記基板の所定の位置に配置された第１の受光部と、前記第１の受光部とは異なる位置に配置された第２の受光部からなり、前記第２の貫通孔は、前記第１の受光部と前記第２の受光部に対応する部分にそれぞれ設けられていることを特徴とする請求項４から請求項１０のいずれかに記載の生体情報測定プローブ。
【発明の詳細な説明】
【技術分野】
【０００１】
本発明は、生体情報の測定に用いて好適な生体情報測定プローブに関する。
【背景技術】
【０００２】
近赤外線分光（ＮＩＲＳ：Ｎｅａｒ−Ｉｎｆｒａｒｅｄ  Ｓｐｅｃｔｒｏｓｃｏｐｙ）装置やパルスオキシメータなどに接続され、特定の波長の光を照射して生体組織を透過した透過光を受光して生体情報を非侵襲的に収集する生体情報収集プローブが知られている（特許文献１参照。）。この特許文献１に記載の生体情報収集プローブでは、発光部と受光部が配置された回路基板が、板状のパッド部とカバー部の間に挟まれて、接着剤等によってそれぞれ固定されている。このパッド部は、発光部と受光部が配置されている側である回路基板の表面を覆うものであり、その発光部と受光部に対応する部分には、それぞれ貫通孔が設けられている。そして、回路基板の発光部及び受光部は、それらの貫通孔の内側に配置されている。このパッド部は、光を透過しない光不透過性素材からなるものであるため、発光部から生体組織を透過せずに受光部に向かって照射される光は、発光部と受光部の間にあるパッド部によって遮光される。このため、受光部が生体組織を透過した透過光以外の光を受光してしまい、収集した生態情報が不正確になってしまうことが防がれている。
【先行技術文献】
【特許文献】
【０００３】
【特許文献１】特表２０１６−５００２９０号公報
【発明の概要】
【発明が解決しようとする課題】
【０００４】
上述の特許文献１に記載された技術では、それぞれの貫通孔の開口が、その内側に配置される発光部や受光部よりも大きく形成されている。このため、発光部及び受光部の側面と、貫通孔の内側の面との間に隙間があき、発光部から受光部に向かって照射された光が十分に遮光されずに受光部に入射され、収集した生体情報が不正確になってしまう場合があるという問題があった。また、受光部の側面方向から入射される光が十分に遮光されずに透過光以外の光が受光部に入射され、収集した生体情報が不正確となってしまう場合があるという問題もあった。更に、パッド部と回路基板を固定するための接着剤等が使用中に溶出したり、あるいは貫通孔の内側にはみ出したりして、測定対象である生体組織に悪影響を及ぼしたり、あるいは生体情報の正確な収集の妨げになってしまう畏れがあるという問題もあった。
【０００５】
本発明は、上記の課題を解決するためになされたものであって、より正確な生体情報の収集が可能で、生体への影響の少ない生体情報収集プローブの製造方法及び生体情報収集プローブを提供することを目的とする。
【課題を解決するための手段】
【０００６】
上記目的を達成するために、本発明は以下の手段を提供する。
本発明の生体情報測定プローブの製造方法は、組織に光を照射し、前記組織を透過した透過光を受光して生体情報を収集する生体情報収集装置に接続される生体情報測定プローブの製造方法であって、柔軟性のある板状の基板の一方の面の先側に、発光部と受光部を所定の間隔で配置し、前記発光部及び前記受光部を前記基板に電気的に接続するステップと、前記発光部及び前記受光部が配置された前記基板の一方の面を覆う柔軟性を有した光不透過性の第１の被覆材の前記発光部に対応する部分に、前記発光部を挿入するための第１の貫通孔を設けるステップであって、前記基板の一方の面の側から見た前記第１の貫通孔の開口を、前記基板の一方の面の側から見た前記発光部の大きさより小さく形成するステップと、前記第１の被覆材の前記受光部に対応する部分に、前記受光部を挿入するための第２の貫通孔を設けるステップであって、前記基板の一方の面の側から見た前記第２の貫通孔の開口を、前記基板の一方の面の側から見た前記受光部の大きさより小さく形成するステップと、前記第１の貫通孔及び前記第２の貫通孔にそれぞれ前記発光部及び前記受光部を挿入し、前記基板の一方の面の少なくとも一部を前記第１の被覆材にて覆うステップと、前記基板の一方の面とは反対側の他方の面の少なくとも一部を第２の被覆材にて覆うステップと、前記第１の被覆材と前記第２の被覆材を前記基板に固定するステップとからなることを特徴とする。
【０００７】
この様にされた生体情報測定プローブの製造方法では、柔軟性のある第１の被覆素材に、受光部及び発光部よりも小さな開口の貫通孔がそれぞれ形成される。そして、貫通孔の開口を広げ、発光部及び受光部が貫通孔の内側に挿入される。この様にされると、発光部の側面は、第１の被覆素材に設けられた貫通孔の内側の面に密着する。このため、発光部の側面が光不透過性素材にて覆われることになり、生体組織に向かう方向とは異なる方向に照射される光が第１の被覆素材によって遮光される。受光部の側面も同様に、その側面が第１の被覆素材にて覆われるため、生体組織以外の方向から受光部に入射する光が遮光される。また、第１の被覆素材は、その貫通孔が押し広げられて発光部及び受光部が挿入されるため、貫通孔の内側の側面と発光部との間の摩擦、及び貫通孔の内側の側面と受光部との摩擦、更には貫通孔が元の大きさに戻ろうとする力によって、発光部及び受光部に固定される。
【０００８】
前記固定するステップは、前記第１の被覆材で前記基板を覆った際に前記基板から突出する第１の突出部と、前記第２の被覆材で前記基板を覆った際に前記基板から突出する第２の突出部を相互に接合するステップであることを特徴とすることが好ましい。
【０００９】
この様にすることで、第１の被覆材及び第２の被覆材は、基板の外側を囲む様に接合されて基板に固定される。
【００１０】
上記発明において前記固定するステップは、前記第１の被覆材と前記第２の被覆材を溶着することを特徴とすることが好ましい。このようにすることで、第１の被覆材と第２の被覆材は、接着剤等を用いることなく接合されて基板に固定される。
【００１１】
本発明の生体情報測定プローブは、組織に光を照射し、前記組織を透過した透過光を受光して生体情報を収集する生体情報収集装置に接続される生体情報測定プローブであって、柔軟性のある板状の基板部と、前記基板部の一方の面の先側に配置された発光部と、前記発光部と隣接し所定の間隔で配置された受光部と、前記基板部の先側とは反対の元側に設けられた前記生体情報収集装置に接続される接続部と、前記基板の一方の面を覆う柔軟性を有した第１の被覆材と、前記基板の他方の面を覆う第２の被覆材とを備え、前記発光部は、前記第１の被覆材の前記発光部に対応する部分に設けられた第１の貫通孔の内側に配置されており、前記受光部は、前記第１の被覆材の前記受光部に対応する部分に設けられた第２の貫通孔の内側に配置されており、少なくとも前記発光部の前記受光部に向かう面、あるいは前記受光部の前記発光部に向かう面のいずれか一方が前記第１の被覆材と接触することを特徴とする。
【００１２】
この様にされた生体情報測定プローブでは、発光部の受光部側の側面が、光不透過性の第１の被覆材と接触し、発光部の側面から受光部に向って直接照射される光が遮光される。あるいは、受光部の発光部側の側面が光不透過性の第１の被覆材と接触し、発光部の側から受光部に入射される光が遮光される。
【００１３】
上記発明においては、前記発光部の前記受光部に向かう面とは異なる他の面が、前記第１の貫通孔において前記第１の被覆材と接触していることを特徴とすることが好ましい。このようにすることにより、測定対象である生体組織に向かう方向とは異なる方向に照射される光が遮光され、受光部が透過光以外の光を検出することが防がれる。
【００１４】
上記発明においては、前記受光部の前記発光部に向かう面とは異なる他の面が前記第２の貫通孔において前記第１の被覆材と接触していることを特徴とすることが好ましい。このようにすることにより、生体組織から受光部に向かう方向以外の光が遮光され、受光部が透過光以外の光を受光することが防がれる。
【００１５】
上記発明においては、前記第１の被覆材は前記基板よりも広く、前記基板を覆った際に前記基板から突出する第１の突出部を備え、前記第２の被覆材は前記基板よりも広く、前記基板を覆った際に前記基板から突出する第２の突出部を備え、前記第１の被覆材と前記第２の被覆材は、前記基板を挟み、前記第１の突出部及び前記第２の突出部において相互に接合されていることを特徴とすることが好ましい。このようにすることにより、第１の被覆材と第２の被覆材が、基板部の外側を囲む様に接合されて基板に固定される。
【００１６】
上記発明においては、前記第１の被覆材と前記第２の被覆材は、前記基板の前記先側から前記元側までを覆うことを特徴とすることが好ましい。このようにすることにより、基板全体が被覆材によって保護されるとともに、生体情報の測定に影響を及ぼす外部からのノイズの混入も防がれる。
【００１７】
上記発明においては、前記第１の被覆材と前記第２の被覆材の前記元側の部分は、前記接続部と隣接するコネクタ部と一体となっていることが好ましい。このようにすることで、取扱が容易で耐久性にも優れた生体情報測定プローブとなる。
【００１８】
上記発明においては、前記基板の一方の面、あるいは前記基板の他方の面のいずれか一方の面の側に前記発光部及び前記受光部と前記接続部を電気的に接続する電気回路部が設けられていることを特徴とすることが好ましい。このようにすることで、より安価な生体情報プローブとすることができる。また、多層基板を用いた場合に必要となる各層の回路基板を電気的に接続するためのスルーホール等の構造を基板に設ける必要がないため、耐久性のある生体情報プローブとすることができる。
【００１９】
上記発明においては、前記受光部は、前記基板の所定の位置に配置された第１の受光部と、前記第１の受光部とは異なる位置に配置された第２の受光部からなり、前記第２の貫通孔は、前記第１の受光部と前記第２の受光部に対応する部分にそれぞれ設けられていることを特徴とすることが好ましい。このようにすることで生体組織の酸素飽和度等が測定可能な生体情報測定プローブが提供される。
【発明の効果】
【００２０】
本発明の生体情報収集プローブの製造方法によれば、柔軟性のある第１の被覆材に発光部及び受光部よりも小さな開口の貫通孔を設け、その開口を押し広げて貫通孔の内側にそれぞれ発光部及び受光部を挿入して配置する。この様にすると、発光部及び受光部の側面は、第１の被覆材と接触して覆われることになる。このため、受光部が、生体組織を透過した透過光以外の光を検出してしまうことが防がれて、正確な生体情報の収集が可能な生体情報収集プローブを提供することが可能となる。また、この貫通孔によって第１の被覆材を基板に固定できるため、測定対象である生体組織と接触する部分に接着材等を用いる必要がない。このため、生体対象に悪影響を与える畏れの少ない、生物学的安全性に優れた生体情報測定プローブを提供することが可能となる。
【図面の簡単な説明】
【００２１】
【図１】本発明による生体情報測定プローブの一実施形態の一例を示す斜視図である。
【図２】図２（ａ）は、本発明による生体情報測定プローブの本体部の一例を示す正面図である。図２（ｂ）は、本発明による生体情報測定プローブの本体部の一例を示す側面図である。図２（ｃ）は、本発明による生体情報測定プローブの本体部の一例を示す背面図である。
【図３】図３（ａ）は、本発明による生体情報測定プローブの先側部分の一例を示す図である。図３（ｂ）は、本発明による生体情報測定プローブの先側部分の他の一例を示す図である。
【図４】図４（ａ）は、本発明による生体情報測定プローブの先側部分の一例を示す断面図である。図４（ｂ）は、本発明による生体情報測定プローブの先側部分の一例を示す断面図である。
【図５】図５（ａ）は、本発明による生体情報測定プローブの元側部分の一例を示す正面図である。図５（ｂ）は、本発明による生体情報測定プローブの元側部分の一例を示す側面図である。図５（ｃ）は、本発明による生体情報測定プローブの元側部分の一例を示す背面図である。
【図６】図６（ａ）は、本発明による生体情報測定プローブが接続される生体情報収集装置の接続コネクタの一例を示す正面断面図である。図６（ｂ）は、本発明による生体情報測定プローブが接続される生体情報収集装置の接続コネクタの一例を示す側面断面図である。図６（ｃ）は、本発明による生体情報測定プローブが接続される接続コネクタを生体情報測定プローブの挿入方向から見た矢視図である。
【図７】図７（ａ）は、本発明による生体情報測定プローブの本体部の先側部分の一例を示す図である。図７（ｂ）は、本発明による生体情報測定プローブの被覆材の先側部分の一例を示す図である。
【図８】図８（ａ）は、本発明による生体情報測定プローブの他の一例を示す斜視図である。図８（ｂ）は、本発明による他の一例の生体情報測定プローブが使用者の指に装着されている様子を示す図である。
【発明を実施するための形態】
【００２２】
この発明の一実施形態に係る生体情報測定プローブ１について、主に図１から図８を参照しながら説明する。なお、以降において特に断りのない限り、前後、左右、上下、及び裏表の方向は図中に示した方向とする。
【００２３】
１．構成の説明
はじめに生体情報測定プローブ１の構成について説明を行う。
本実施形態に係る生体情報測定プローブ１は、測定対象の生体組織に異なる波長の近赤外等の光を照射し、生体組織を透過した透過光を収集して生体組織の酸素濃度などの生体に関する情報を測定するＮＩＲＳ（Ｎｅａｒ−Ｉｎｆｒａｒｅｄ  Ｓｐｅｃｔｒｏｓｃｏｐｙ）用のプローブである。この生体情報測定プローブ１は使用者の指に装着して使用するものであり、測定の際には、使用者の指に装着された生体情報測定プローブ１の所定の部分を、測定対象である生体組織の表面に接触させて生体情報の収集を行う。この生体情報測定プローブ１は、収集された信号を処理して表示する生体情報測定装置２００（図示せず）に接続して使用される。
【００２４】
生体情報測定プローブ１は、本体部１０、及びコネクタ部４０から主に構成されており、本体部１０は、プローブを使用者の指に固定するための装着部５０に固定されている（図１参照。）。本体部１０は、略長方形の柔軟性を有した板状の部分であり、ＦＰＣ基板２０と被覆材３０ａ及び被覆材３０ｂ（以降において被覆材３０ａと被覆材３０ｂを総称して「被覆材３０」とも記載する。）から主に構成されている。このＦＰＣ基板２０、及び被覆材３０はいずれも柔軟性を有した素材からできているため、用途に応じて本体部１０を任意の角度及び方向に屈曲させて使用することができる。
【００２５】
ＦＰＣ基板２０は、薄膜状に加工された柔軟性のある導電体を、絶縁性の薄く柔らかいフィルム素材にて挟んだ公知の回路基板（Ｆｌｅｘｉｂｌｅ  Ｐｒｉｎｔｅｄ  Ｃｉｒｃｕｉｔｓ）である。本実施形態では、このＦＰＣ基板２０の厚さが０．０５〜０．２ｍｍ程度である例に適用して以降の説明を行うが、任意の方向に容易に屈曲させることができる程度の厚さであれば、上記以外の厚さであっても構わない。
【００２６】
ＦＰＣ基板２０は、略長方形の形状をしており、その後側（以降において「元側」とも記載する。）には、略台形に形成された台形部２３が形成されている。この台形部２３は、詳細は後述するコネクタ部４０が設けられる部分である。また、台形部２３の元側に隣接して長方形の接続部２４が形成されている。この接続部２４は、生体情報測定装置２００の接続コネクタ部１００に接続される部分である。この接続部２４の表面には、接続コネクタ部１００と電気的に接続される複数の接続端子２５が設けられている（図２（ａ）参照。）。接続端子２５は、導電性のある部材からなり、ＦＣＰ基板２０に設けられた図示されていない電気回路（以降において「回路パターン」とも記載する）の所定の部分に電気的に接続されている。なお、本実施形態における接続部２４及び接続端子２５が、特許請求の範囲における接続部とされている。
【００２７】
ＦＰＣ基板２０の表面の前側（以降において「先側」とも記載する。）には、受光部２２ａ、受光部２２ｂ（以降において受光部２２ａと受光部２２ｂ総称して「受光部２２」とも記載する。）、及び発光部２１が設けられている。なお、発光部２１及び受光部２２は、それぞれＦＣＰ基板２０に設けられた図示されていない回路パターンに半田付けなどの公知の方法で電気的に接続され、ＦＰＣ基板２０に固定されている。なお、本実施形態では、ＦＰＣ基板２０の表面に近い側に単層の回路パターンが設けられている例に適用して以降の説明を行う。
【００２８】
発光部２１は、図示されていない生体情報測定装置２００からの制御信号に従って、生体組織に向って照射される光を発光する公知の発光デバイスである。本実施形態では、発光部２１が、異なる波長の近赤外の光を発光する２つのＬＥＤを備えた発光デバイス（半導体素子）である例に適用して以降の説明を行う。なお発光部２１は、使用用途に応じ、上記以外の光を発光するＬＥＤを備えたデバイスであってもよい。また、発光部２１は、上記とは異なる数のＬＥＤを備えたものであってもよい。また発光部２１は、異なる波長の光を発光する複数の発光デバイスから構成されていてもよく、あるいは他の公知の発光デバイスからなるものであってもよい。また、本実施形態では、発光部２１が、その厚さが０．９〜１．０ｍｍの略直方体をしている例に適用して以降の説明を行うが、発光部２１は上記以外の厚さの直方体であってもよく、あるいは他の形状をしたものであってもよい。
【００２９】
受光部２２ａ及び受光部２２ｂは、発光部２１から照射され、測定対象の生体組織を透過した透過光を主に受光し、電気信号として出力する光検出デバイス（半導体デバイス）である。具体的には、受光部２２は、生体組織からの透過光を受光し、受光した光に関する情報を電気信号として出力する半導体素子である。本実施形態では、受光部２２が、それぞれ０．６５ｍｍ程度の厚さの略立方体の半導体素子である例に適用して以降の説明を行うが、受光部２２の厚さは上記以外の厚さであってもよく、あるいは異なる形状のデバイスであってもよい。また、受光部２２ａと受光部２２ｂが異なる大きさのデバイスであってもよい。更に受光部２２は、他の公知の受光デバイスであっても構わない。
【００３０】
受光部２２ａと受光部２２ｂは、生体情報測定プローブ１の用途に応じた所定の距離でそれぞれＦＰＣ基板２０に配置されている。換言すれば、発光部２１、受光部２２ａ、及び受光部２２ｂは、用途に応じた所定の間隔で配置されている。例えば、浅い位置にある生体組織、換言すれば表面からの距離が短い位置にある生体組織の生体情報を主に収集することを目的とする生体情報測定プローブ１の発光部２１と受光部２２ａの間の距離、及び発光部２１と受光部２２ｂの間の距離は、深い位置にある生体組織、換言すれば表面からの距離が離れた位置にある生体組織の生体情報を収集する生体情報測定プローブ１の発光部２１と受光部２２ａの間の距離、及び発光部２１と受光部２２ｂの間の距離と比べ、それぞれ短い距離となっている（図３（ａ）及び図３（ｂ）参照。）。
【００３１】
ＦＰＣ基板２０の、発光部２１及び受光部２２が配置される表側の面は、被覆材３０ａによってその元側から先側までが覆われている。また、ＦＰＣ基板２０の裏側の面は、被覆材３０ｂによってその元側から先側までが覆われている（以降において被覆材３０ａと被覆材３０ｂを総称して「被覆材３０」とも記載する。）。換言すれば、ＦＰＣ基板２０は、被覆材３０ａと被覆材３０ｂの間に挟まれて、表面及び裏面の元側から先側までが覆われている。
【００３２】
被覆材３０は、略長方形の形状に成形された柔軟性のある非導電性で、且つ光を透過させない性質（以降において「光不透過性」とも記載する。）を有した部材からできている。本実施形態では被覆材３０が、非導電性で、且つ光不透過性の性質を備えた素材であるエラストマー製のシート材からできている例に適用して以降の説明を行う。なお被覆材３０は、柔軟性があり、非導電性及び光不透過性の性質を備えた他の公知の素材が用いられたものであっても構わない。本実施形態では、被覆材３０ａ及び被覆材３０ｂが、０．９〜１．０ｍｍ程度の厚さを有するシート材である例に適用して以降の説明を行うが、少なくとも被覆材３０ａの厚さが、発光部２１の厚さ以上であれば上記以外の厚さであってもよい。また被覆材３０ａと被覆材３０ｂが異なる厚さであってもよい。更に、被覆材３０ａ及び被覆材３０ｂは、発光部２１及び受光部２２の周囲を囲む先側の部分が光不透過性を有した素材からできていれば、他の部分は光を透過する素材からできていてもよい。なお本実施形態における被覆材３０ａが、特許請求の範囲における第１の被覆材とされている。また、被覆材３０ｂが、特許請求の範囲における第２の被覆材とされている。
【００３３】
被覆材３０ａの先側の、発光部２１、受光部２２ａ及び受光部２２ｂに対応する部分には、貫通孔３１、貫通孔３２ａ、及び貫通孔３２ｂがそれぞれ設けられている。貫通孔３１は、被覆材３０ａにてＦＰＣ基板２０を覆った際に、その内側に発光部２１が配置される部分である。なお、発光部２１のＦＰＣ基板２０の表面と交わる方向に延びる側面は、貫通孔３１の内側の面と接触している（図４（ａ）参照）。ここで発光部２１の側面と貫通孔３１の内側の面が接触している状態とは、発光部２１の側面が貫通孔３１の内側の面と接触し、発光部２１から生体組織に向かう方向以外に照射された光が、受光部２２によって受光されることのない程度まで被覆材３０ａによって遮光される状態をいう。本実施形態では、発光部２１の側面全体が、貫通孔３１の内側の面と接触している例に適用して以降の説明を行うが、生体組織に向かう方向以外に照射された光が受光部２２によって検知されることのない程度まで遮光されるのであれば、発光部２１の側面の一部が貫通孔３１の内側と接触していてもよい。また、生体組織に向かう方向以外に照射された光が受光部２２によって検知されることのない程度まで遮光されるのであれば、少なくとも受光部２２に向かう側の側面が貫通孔３１の内側の面と接触していればよく、例えば先側の側面や、左右の側面が貫通孔３１の内側と接触していなくてもよい（図４（ｂ）参照。）。
【００３４】
貫通孔３２ａは、被覆材３０ａにてＦＰＣ基板２０を覆った際に、その内側に受光部２２ａが配置される部分であり、貫通孔３２ｂは、被覆材３０ｂにてＦＰＣ基板２０を覆った際に、その内側に受光部２２ｂが配置される部分である。なお以降において、貫通孔３２ａ及び貫通孔３２ｂを総称して「貫通孔３２」とも記載する。
【００３５】
受光部２２ａの各側面は、貫通孔３２ａの内側に配置された状態で、貫通孔３２ａの内側の面と接触している。ここで受光部２２ａの側面が貫通孔３２ａの内側の面と接触している状態とは、受光部２２ａの側面が貫通孔３２ａの内側の面と接触し、主に受光部２２ａの側面方向から入射される透過光以外の光が、受光部２２ａによって検知されない程度まで遮光されている状態をいう。同様に受光部２２ｂは、貫通孔３２ｂの内側に配置された状態で、貫通孔３２ｂの内側の面と接触している。なお本実施形態では、受光部２２の側面全体が貫通孔３２の内側の面と接触している例に適用して以降の説明を行うが、透過光以外の光が、受光部２２によって検知されない程度まで遮光されるのであれば、受光部２２の側面の一部が貫通孔３２の内側の面と接触していてもよい。また、受光部２２は、透過光以外の光が受光部２２によって検知されない程度まで遮光されるのであれば、少なくとも発光部２１に向かう側の側面が、貫通孔３２の内側の面と接触していればよく、例えば先側の側面や、左右の側面が、貫通孔３２の内側の面と接触していなくてもよい（図４（ｂ）参照。）。なお、本実施形態における貫通孔３１が、特許請求の範囲における第１の貫通孔とされている。また、本実施形態における貫通孔３２が、特許請求の範囲における第２の貫通孔とされている。
【００３６】
被覆材３０ａと被覆材３０ｂは、それぞれその左右方向の幅が、ＦＰＣ基板２０の左右方向の幅Ｗ（図２（ａ）参照。）よりも広く形成されている。またその前後方向の長さは、ＦＰＣ基板２０の台形部２３の先側の辺からＦＰＣ基板２０の先端までの長さＬ（図２（ａ）参照。）よりも長く形成されている。即ち被覆材３０は、ＦＰＣ基板２０を挟むように覆った際に、その一部がＦＰＣ基板２０の左右の辺、及びＦＰＣ基板２０の先側の辺から突出してはみ出すように、ＦＰＣ基板２０よりも大きく形成されている。以降において、この被覆材３０のＦＰＣ基板２０の左右の辺、及び先側の辺からはみ出す部分を、「突出部」とも記載する。なお、本実施形態における被覆材３０ａの突出部が、特許請求の範囲における第１の突出部と、被覆材３０ｂの突出部が、特許請求の範囲における第２の突出部とされている。
【００３７】
被覆材３０ａと被覆材３０ｂは、この突出部においてＦＰＣ基板２０の左右の辺、及び先側の辺に沿ってＦＰＣ基板２０の外側で相互に溶着されている。即ち被覆材３０ａと被覆材３０ｂは、その間にＦＰＣ基板２０を挟み袋状に溶着されている。このようにされると、被覆材３０は、その間にあるＦＰＣ基板２０に固定され、左右方向、及び元側にずれることが防がれる。また、被覆材３０ａは貫通孔３１及び貫通孔３２において発光部２１及び受光部２２に固定されているため、被覆材３０は、ＦＰＣ基板２０から先側の方向にずれてしまうことも防がれている。換言すれば、被覆材３０ａと被覆材３０ｂの間からＦＰＣ基板２０が抜けてしまうことが防がれて、被覆材３０はＦＰＣ基板２０に固定されている。
【００３８】
ＦＰＣ基板２０の元側には、コネクタ部４０が設けられている。このコネクタ部４０は、前述のＦＰＣ基板２０の台形部２３を覆う非導電性の素材からなる部分であり、生体情報測定プローブ１を接続コネクタ１００に着脱する際に使用者によって保持される部分である。また、コネクタ部４０の元側からは、支持部４１が、接続コネクタ１００に挿入される方向に向かって延びている（図５（ｂ）参照。）。この支持部４１の表側の面には、ＦＰＣ基板２０の接続部２４が固定されている。
【００３９】
支持部４１は、接続部２４と共に接続コネクタ１００の接続口１０２（図６（ｂ）参照。）に挿入され、接続部２４を裏側から支え、接続端子２５と接続コネクタ１００の内側にある接続面１０１（図６（ａ）参照。）との電気的な接続を支持する部分である。なお、接続面１０１は、接続コネクタ１００の内側にある基板部１０４の接続端子２５と対応するそれぞれの位置の表面に設けられた導電性のある部材からなる部分である。本実施形態では、接続面１０１が、基板部１０４の図示されていない銅箔からなる回路に形成された接触面、即ち回路を構成する導電性のある部分が露出する様に形成された部分である例に適用して説明を行うが、接続端子２５と電気的な接続が可能なものであれば、他の公知の形状をした接続端子などが設けられたものであってもよい。
【００４０】
支持部４１の裏側の面には、半球の形状をした凸部４２が突出して設けられている。この凸部４２は、支持部４１が接続口１０２に挿入された際に、接続コネクタ１００の内側にある凹部１０３と嵌合し、支持部４１が接続コネクタ１００から容易に抜けてしまうことを防ぐためのものである。また、凸部４２は使用者が支持部４１の表裏を誤った向きで接続光１０２に挿入してしまうことを防ぐためのものでもある。具体的には、接続コネクタ１００には、接続口１０２から凹部１０３に至る略直線状の溝部１０５が設けられているため、支持部４１を挿入する際に、凸部４２と溝部１０５の向きを合わせて挿入することで、支持部４１の表裏を誤って接続口１０２に挿入してしまうことが防がれる。なお、凸部４２、凹部１０３及び溝部１０５は、支持部４１が接続コネクタ１００から容易に抜けてしまうことが防がれ、あるいは支持部４１の誤挿入を防ぐことができる形状であれば、他の形状をしたものであってもよい。
【００４１】
装着部５０は、本体部１０を使用者の指に所定の状態で固定する部分である。本実施形態では、装着部５０が、ゴムなどの伸縮性のある素材からなる、公知の指サックと同様の形状をしている例に適用して以降の説明を行う。
【００４２】
装着部５０の内側の面である内面５１の所定の場所に、表側の面が内面５１と向かい合う様にして、本体部１０が固定されている。換言すれば、ＦＰＣ基板２０に配置された発光部２１及び受光部２２が、装着部５０の外側を向くように本体部１０が配置されて、内面５１の所定の場所に固定されている。装着部５０の発光部２１と対応する部分には、図示されていない貫通穴５２が設けられている。この貫通穴５２は、発光部２１からの光の照射の妨げとならない程度の大きさの開口を有している。また、装着部５０の受光部２２と対応する部分には、図示されていない貫通穴５３がそれぞれ設けられている。この貫通穴５３は、受光部２２が光を受光する際に妨げにならない程度の大きさの開口を有している。なお、この貫通穴５２及び貫通穴５３は、発光部２１及び受光部２２を保護するために、生体情報の収集の妨げとならない光を透過する素材によってその開口が覆われていてもよい。
【００４３】
装着部５０の内径は、使用者の指の太さと略同一となっている。このため、使用者が、装着部５０の開口部から自身の指を挿入すると、装着部５０の内面５１が指の表面と接触し、装着部５０が使用者の指に固定される。即ち、装着部５０と共に本体部１０が使用者の指に固定されることになる。具体的には、使用者は、発光部２１及び受光部２２を自身の指の指腹の位置に配置される様にして、自身の指を装着部５０の内側に挿入する。この様にすると、発光部２１及び受光部２２が使用者の指腹に配置され、本体部１０が使用者の指に固定される。使用者は、装着部５０が装着された指の所定の部分で測定対象の生体組織の表面を触ることで、測定対象の生体情報を収集することができる。なお、ＦＰＣ基板２０の裏側から入射する光は、被覆材３０ｂによって遮光される。このため、使用者の指を透過した光を発光部２１が受光してしまい、収集した生体情報が不正確になってしまうことが防がれている。
【００４４】
なお、本体部１０を固定するための装着部は、他の形状をしたものであってもよい。例えば装着部は、布や柔軟性のある他の公知の素材からなるシート材が、図８（ａ）に示す様な略Ｙ字状に形成されたシート材６０であってもよい。本体部１０は、その表側の面がシート材６０の表側の面と向かい合う様に配置され、シート材６０の所定の箇所に固定される。なお、シート材６０の発光部２１及び受光部２２に対応する部分には、図示されていない貫通穴が設けられおり、生体情報の収集の妨げにならない様になっている。シート材６０の表側の面には、貼付、引き剥がしが自在な粘着剤が塗布されおり、使用者の指に貼り付けて固定することができる。なお使用の際には、二股に分かれている巻き付け部６１ａ、６１ｂと先部６２を使用者の指に巻き付けて使用者の指に固定する（図８（ｂ）参照。）。
【００４５】
また装着部は、その一方の面に粘着部が設けられ、使用目的に応じて任意の形状に形成された図示されていないシート材であってもよい。この場合には、本体部１０の裏側の面が、シート材の表側の面の所定の位置に固定されている。使用の際には、発光部２１及び受光部２２が測定対象となる生体組織の表面を向く様に本体部１０を配置し、シート材の表面の粘着部を生体組織の表面に貼り付けて本体部１０を生体組織の表面に固定する。
【００４６】
２．製造方法の説明
続いて生体情報測定プローブ１の製造方法について説明を行う。
（１）ＦＰＣ基板への部品の取り付け
はじめにＦＰＣ基板２０の先側の所定の箇所に、発光部２１、受光部２２ａ、及び受光部２２ｂを配置し、それぞれをＦＰＣ基板２０の図示されていない回路パターンに半田付けなどの公知の方法で電気的に接続して固定する（発光部及び受光部を基板に電気的に接続するステップ）。なお、発光部２１及び受光部２２と回路パターンとの電気的な接続及び固定は、他の公知の方法によって行われてもよい。
【００４７】
（２）被覆材の成形
続いてエラストマー製のシート部材を所定寸法に裁断し、長方形の被覆材３０ａ及び被覆材３０ｂを形成する。具体的には、ＦＰＣ基板２０の左右方向の幅Ｗよりも約３ｍｍ程度幅広く、ＦＰＣ基板２０の前後方向の長さＬよりも１．５ｍｍ程度長い略長方形状にシート部材を成形する。なお、被覆材３０ａ及び被覆材３０ｂの寸法は上記に限定される訳ではなく、ＦＰＣ基板２０を挟んだ状態で被覆材３０ａと被覆材３０ｂを接合できる程度にＦＰＣ基板２０からはみ出す大きさであれば他の寸法であってもよい。また、予め所定の寸法に形成されたエラストマー製のシート部材を用いてもよい。
【００４８】
（３）貫通孔の成型
被覆材３０ａの先側の発光部２１に対応する部分に、発光部２１よりも小さな開口の貫通孔３１を形成する（第１の貫通孔を設けるステップ）。具体的には、例えば角筒体の金型などを用いて被覆材３０ａを打ち抜くなどの方法によって、左右方向の幅ｖ、前後方向の長さｘの略長方形の貫通孔３１を形成する。なお、貫通孔３１の形成は、他の公知の方法によって行われてもよい。本実施形態では、貫通孔３１の開口の左右方向の幅ｖが、ＦＰＣ基板２０の表面側から見た発光部２１の左右方向の幅ｄよりも０．２ｍｍ程度短く、貫通孔３１の前後方向の長さｘが、発光部２１の前後方向の長さｅよりも０．２ｍｍ程度短い長さである例に適用して以降の説明を行う（図７（ａ）及び図７（ｂ）参照。）。なお貫通孔３１の開口は、開口を押し広げて発光部２１を挿入することができ、少なくとも発光部２１の受光部２２側の側面が被覆材３０ａと接触する状態となるのであれば、上記以外の形状や大きさであってもよい。
【００４９】
同様に被覆材３０ａの先側の受光部２２ａ及び受光部２２ｂに対応する部分に、受光部２２ａ及び受光部２２ｂよりも小さな開口の貫通孔３２ａ及び貫通孔３２ｂを設ける（第２の貫通孔を設けるステップ）。具体的には、被覆材３０ａの所定の箇所を角筒体の金型などを用いて被覆材３０ａを打ち抜くなどの方法によって、左右方向の幅ｙ、及び前後方向の長さｚの略長方形状の貫通孔３２ａ及び貫通孔３２ｂを形成する。本実施形態では、貫通孔３２ａ及び貫通孔３２ｂの開口の左右方向の幅ｙが、受光部２２ａ及び受光部２２ｂの左右方向の幅ｆよりも０．２ｍｍ程度短く、開口の前後方向の長さｚが、受光部２２ａ及び受光部２２ｂの前後方向の長さｇよりも０．２ｍｍ程度短い寸法である例に適用して以降の説明を行う（図７（ａ）及び図７（ｂ）参照。）。なお貫通孔３２ａ及び貫通孔３２ｂの開口は、それぞれその開口を押し広げて受光部２２ａ及び受光部２２ｂを挿入することができ、少なくとも受光部２２の発光部２１側の側面がそれぞれ被覆材３０ａと接触する状態となるのであれば、上記以外の形状や大きさであってもよい。
【００５０】
（４）被覆材の取り付け
発光部２１及び受光部２２が設けられたＦＰＣ基板２０に被覆材３０を取り付ける。具体的には、ＦＰＣ基板２０の表側の面を被覆材３０ａによって覆う（第１の被覆材にて覆うステップ）。この際、被覆材３０ａの貫通孔３１に発光部２１を挿入し、貫通孔３２に受光部２２をそれぞれ挿入してＦＰＣ基板２０の表側の面を覆う。
【００５１】
なお、貫通孔３１の開口は発光部２１よりも小さく形成されているため、その開口を押し広げながら発光部２１を挿入する。この様にすると、発光部２１の各側面が貫通孔３１の内側において被覆材３０ａとそれぞれ接触する。更に、発光部２１の各側面は、押し広げられた貫通孔３１の開口が元の大きさに戻ろうとする力を受ける。
【００５２】
同様に、貫通孔３２の開口を押し広げながら受光部２２を貫通孔３２の内側にそれぞれ挿入する。この様にすると、受光部２２の各側面は、貫通孔３２の内側において被覆材３０ａとそれぞれ接触する。更に発光部２１の各側面は、押し広げられた貫通孔３１の開口が元の大きさに戻ろうとする力による受ける。
【００５３】
続けてＦＰＣ基板２０の裏側の面を被覆材３０ｂによって覆う（第２の被覆材にて覆うステップ）。被覆材３０ａ及び被覆材３０ｂは、それぞれＦＰＣ基板２０よりも大きく形成されているため、被覆材３０の端の部分がＦＰＣ基板２０の左右の辺及び先側の片から突出してはみ出した状態となる。
【００５４】
（５）被覆材の接合
被覆材３０ａと被覆材３０ｂのＦＰＣ基板２０からはみ出した突出部を接合する（第１の被覆材と第２の被覆材を基板に固定するステップ）。具体的には、超音波シーラー器具等を用いて、ＦＰＣ基板２０の左右の辺、及び先側の辺に沿って、被覆材３０ａと被覆材３０ｂの突出部をそれぞれ溶着する。なお、他の公知の方法により被覆材３０ａと被覆材３０ｂを溶着してもよく、接着剤などを用いるなどして被覆材３０ａと被覆材３０ｂを接着してもよい。また、被覆材３０ａと被覆材３０ｂを溶着した後に、被覆材３０の端の部分を切断等して所定の形状に形成してもよい。
【００５５】
（６）コネクタの形成
ＦＰＣ基板２０の元側にコネクタ部４０を設ける。具体的には、台形部２３の表側を覆うコネクタ部材４４と、台形部２３の裏側を覆う裏側コネクタ部材４５にて台形部２３を挟み、それぞれを接合してコネクタ部４０を形成してＦＰＣ基板２０に固定する。更に、コネクタ部材４４あるいはコネクタ部４５のいずれかから接続コネクタ１００への挿入方向に延びる支持部４１の表側の面に接続部２４を固定する。なお、コネクタ部材４４とコネクタ部材４５の間に、被覆材３０ａ及び被覆材３０ｂの元側の部分を挟み込み、被覆材３０とコネクタ部４０が一体となる様に形成してもよい。あるいは台形部２３の部分を覆う程度まで被覆材３０ａ及び被覆材３０ｂの長さを長くするとともに、台形部２３の部分を覆う部分の厚さを他の部分よりも厚くして、台形部２３の部分を覆う被覆材３０ａ及び被覆材３０ｂの部分を、金型等の公知の器具を用いて加工することでコネクタ部４０を被覆材３０と一体に成形してもよい。
【００５６】
（７）装着部の取り付け
本体部１０の先側（即ちＦＰＣ基板２０の先側）に、装着部５０を取り付ける。装着部５０は、使用用途に応じて任意の形状に形成されたものが使用可能である。このため、予め準備された様々な形態の装着部に本体部１０を固定するだけで、用途に応じた装着部を備えた生体情報測定プローブ１を容易に製造することが可能となる。本実施形態では、円筒形状の指サックの形状をした装着部５０に本体部１０を取り付ける例に適用して説明すると、装着部５０の内面５１の所定の箇所に、本体部１０の表面が内面５１と向かいあう様にして、本体部１０を固定する。なお、装着部５０の発光部２１及び受光部２２に対応する部分には、それぞれ貫通穴５２及び貫通穴５３が設けられており、本体部１０を固定する際には、発光部２１及び受光部２２を、それぞれ貫通穴５２及び貫通穴５３の位置に合わせて固定する。なお、発光部２１及び受光部２２を保護するために、貫通穴５２及び貫通穴５３に、生体情報の収集の妨げにならない特性を有した光を透過する素材を充填してもよい。なお、本体部１０は、用途に応じて様々な形状の装着部に取り付けて使用することができる。
【００５７】
上記からなる生体情報測定プローブ１の製造方法、及び生体情報測定プローブ１によれば、発光部２１及び受光部２２よりも小さな開口の貫通孔３１及び貫通孔３２が、被覆材３０ａに設けられている。このため、受光部２２の側面が光不透過性の素材である被覆材３０ａと接触して覆われて、受光部２２の側面方向に入射する光が遮光される。生体組織からの透過光は、主に受光部２２の表側の面に向かって入射されるものであるため、この様にすることで受光部２２が、透過光以外の光を受光してしまうことが効果的に防がれる。また、発光部２１の側面も、被覆材３０ａと接触して覆われるため、発光部２１の側面から、生体組織を透過せずに受光部２２に直接照射される光が遮光される。また、少なくとも発光部２１の受光部２２ａ側の側面と貫通孔３１の内側の面との間、及び受光部２２ａの発光部２１側の側面と貫通孔３２ａの内側の面との間に隙間を空けずに発光部２１及び受光部２２ａが配置されていることから、それぞれ向かいあう発光部２１の側面と受光部２２ａの側面との間に、光不透過性の素材である被覆材３０ａが隙間なく配置されている。このため、隙間を空けて発光部２１及び受光部２２を配置した場合と比べ、発光部２１の受光部２２ａ側の側面と、受光部２２ａの発光部２１側の側面との間に配置されている光不透過性の被覆材３０ａの長さが長くなっている。従って、生体組織を透過せずに発光部２１に直接照射される光が、より効果的に遮光され、より正確な生体情報の収集が可能な生体情報測定プローブ１を提供することが可能となる。また、発光部２１と受光部２２のすべの側面を被覆材３０ａに接触させて覆われているため、生体組織を透過せずに発光部２１に直接照射される光を更に効率よく遮光することができ、より正確な生体情報の収集が可能な生体情報測定プローブ１を提供することが可能となっている。
【００５８】
また貫通孔３１、及び貫通孔３２は、その開口が押し広げられて発光部２１及び受光部２２が挿入される。このため、貫通孔３１の内側の面と発光部２１との摩擦、及び貫通孔３２の内側の面と受光部２２との摩擦、及び押し広げられた貫通孔３１及び貫通孔３２が元の大きさに戻ろうとする力によって、被覆材３０ａは、発光部２１及び受光部２２に固定される。また、被覆材３０ａと被覆材３０ｂを、ＦＰＣ基板２０の外側を囲む様に接合して、ＦＰＣ基板２０に固定している。このため、被覆材３０ａと被覆材３０ｂを、特に発光部２１及び受光部２２が配置される部分において接着材を用いることなくＦＰＣ基板２０に固定できる。このため、使用中に接着材等が溶出してしまい生体対象に悪影響を与えたり、はみ出した接着材等が生体情報の収集に悪影響を与えたりするなどの畏れのない、生物学的安全性に優れた生体情報測定プローブ１を提供することが可能となる。
【００５９】
更に上記からなる生体情報測定プローブ１の製造方法では、被覆材３０ａと被覆材３０ｂを溶着して固定している。このため、接着材などを用いることなく、公知の溶着器具を用いるだけの簡易な方法で安価に生体情報測定プローブ１を製造することができる。
【００６０】
また、生体情報測定プローブ１のＦＰＣ基板２０は、その全体が被覆材３０にて覆われている。このため、ＦＰＣ基板２０は外部からの衝撃から保護されると共に、ＦＰＣ基板２０が過度に折り曲げられてしまって破断等してしまうことからも防がれている。また被覆材３０は、非導電性の素材でもあることから、静電気など外部からの電撃から保護される他、電磁波など外来ノイズが混入してしまうことが防がれる。このため、外部からの衝撃に強く、正確な生体情報の収集が可能な生体情報測定プローブ１が提供することが可能となる。
【００６１】
また、本体部１０の元側の部分には、コネクタ部４０が被覆材３０と一体となって設けられているため、生体情報測定プローブ１を接続コネクタ１００に接続する際に、背接続する力がＦＰＣ基板２０等に直接加わることが防がれている。このため、耐久性のある生体情報測定プローブ１を提供することが可能となっている。
【００６２】
また、本体部１０のＦＰＣ基板２０には、その一方の側にのみ電気回路が設けられている。一般に、ＦＰＣ基板の両側に電気回路を設けたりするなどして、ＦＰＣ基板に多層の電気回路を設けた場合には、各層の回路基板を電気的に接続するためのスルーホールを設ける必要がある。このスルーホールは、各層の基板に穴を貫通させて各回路を電気的に接続するものであるため、ＦＰＣ基板２０を屈曲させた場合には、その貫通穴に負荷が集中して接続回路が切断してしまうなど、故障の原因となる畏れがある。しかしながら、本体部１０のＦＰＣ基板２０には、そのような畏れのある多層基板は設けられていないため、耐久性のある生体情報測定プローブ１を提供することが可能となっている。
【００６３】
また、生体情報測定プローブ１は、異なる波長の近赤外の光を発光する２つのＬＥＤが備えた発光部２１と、所定の距離で配置された受光部２２ａ及び受光部２２ｂが配置されている。このため、生体組織の酸素飽和度等をより精度よく測定可能な生体情報測定プローブ１が提供されている。
【００６４】
さらに本発明の生体情報測定プローブ１は、任意の形状の装着部に取り付けて使用することが可能である。従って本体部１０を、使用目的に応じた形状に予め形成された装着部に固定するだけの簡単な作業で、用途に応じた装着部を備えたプローブを簡易に製造することが可能となっている。
【００６５】
なお、本発明の技術範囲は上記実施形態に限定されるものではなく、本発明の趣旨を逸脱しない範囲において種々の変更を加えることが可能である。例えば、上記実施形態では、被覆材３０が本体部１０の元側から先側までを覆う例に適用して説明したが、被覆材３０が本体部１０の先側の発光部２１及び受光部２２が配置されている部分のみを覆う様にしてもよい。また、本発明を上記の実施形態に適用したものに限られることなく、上記の実施形態に他の公知の構成や製造ステップを組み合わせた実施形態に適用してもよく、特に限定するものではない。
【符号の説明】
【００６６】
１・・・生体情報測定プローブ    １０・・・本体部    ２０・・・ＦＰＣ基板
２１・・・受光部    ２２・・・発光部    ２３・・・台形部
２４・・・接続端子    ２５・・・接続端子    ３０・・・被覆材
３１・・・貫通孔    ３２・・・貫通孔    ４０・・・コネクタ部
４１・・・支持部    ４２・・・凸部    ４４・・・コネクタ部
４５・・・コネクタ部    ５０・・・装着部    ５１・・・内面
１００・・・接続コネクタ    １０１・・・接続面    １０２・・・接続口
１０３・・・凹部    １０４・・・基板部    １０５・・・溝部
２００・・・生体情報測定装置
【図１】
2019150257.tif 000003
【図２】
2019150257.tif 000004
【図３】
2019150257.tif 000005
【図４】
2019150257.tif 000006
【図５】
2019150257.tif 000007
【図６】
2019150257.tif 000008
【図７】
2019150257.tif 000009
【図８】
2019150257.tif 000010